(57)【要約】【課題】単位通信期間を構成する複数のスロットの内の一つ置きのスロットを用いて無線通信を行うという条件を満足しながら、原理的に使用可能なスロット数に応じた最大数の同時通信を可能にする無線通信システムを提供する。【解決手段】上位装置に対して、親機と１又は複数の子機とからなるコードレス通信装置が複数接続される無線通信システムである。親機のそれぞれは、保持部に保持されている設定が第１の同期位相であるときには、上位装置から受ける基準同期信号に同期し、単位通信期間を１周期とする第１の同期信号を発生し、設定が第２の同期位相であるときには、第１の同期信号に対して１タイムスロット分ずれた位相の第２の同期信号を発生し、発生した第１の同期信号又は第２の同期信号に基づいて、複数のスロットの一つ置きのスロットの中から、子機との間での無線通信のためのスロットを確立するようにする。【選択図】図２
2015177238.tif 000002
【特許請求の範囲】
【請求項１】
上位装置に対して、親機と１又は複数の子機とからなるコードレス通信装置が複数接続されると共に、前記親機と前記１又は複数の子機との間では、単位通信期間を複数のタイムスロットに分割し、その一つのタイムスロットを用いてＴＤＭＡ／ＴＤＤ方式の無線通信を行うようにする無線通信システムにおいて、
前記親機のそれぞれは、
第１の同期位相と第２の同期位相のいずれかの設定を保持する保持部と、
前記保持部に保持されている前記設定が前記第１の同期位相であるときには、前記上位装置から受ける基準同期信号に同期し、前記単位通信期間を１周期とする第１の同期信号を発生し、前記保持部に保持されている前記設定が前記第２の同期位相であるときには、前記第１の同期信号に対して１タイムスロット分ずれた位相の、前記単位通信期間を１周期とする第２の同期信号を発生する同期信号発生回路と、
前記同期信号発生回路からの前記第１の同期信号又は前記第２の同期信号に基づいて、前記複数のタイムスロットの一つ置きのタイムスロットの中から、前記子機との間での無線通信のためのタイムスロットを確立して、前記子機との間で無線通信を行う無線通信回路と、
を備えることを特徴とする無線通信システム。
【請求項２】
前記単位通信期間の前半の期間と後半の期間の一方が前記親機から前記子機への送信用の期間とされ、他方が前記子機から前記親機への送信用の期間とされ、
前記第２の同期信号は、前記第１の同期信号に対して前記単位通信期間の１／２の期間分と前記１タイムスロット分の和の分ずれた位相とされてなる
ことを特徴とする請求項１に記載の無線通信システム。
【請求項３】
前記親機と前記１又は子機とからなる前記コードレス通信装置は、前記親機が前記上位装置に接続されることで、前記上位装置に登録されるものであり、
前記上位装置は、前記親機が接続される毎に、前記第１の同期位相を設定する第１の設定情報と前記第２の同期位相を設定する第２の設定情報とを交互に前記親機に送り、前記親機は、前記上位装置から送られてくる前記第１の設定情報または前記第２の設定情報を記憶部に記憶する
ことを特徴とする請求項１または請求項２に記載の無線通信システム。
【請求項４】
前記親機と前記１又は子機とからなる前記コードレス通信装置は、前記親機が前記上位装置に接続されることで、前記上位装置に登録されるものであり、
前記上位装置は、前記親機が接続されたときに、当該接続された前記親機に前記第１の同期位相を設定する第１の設定情報または前記第２の同期位相を設定する第２の設定情報を送り、前記親機が備える記憶部に自動的に記憶させるようにすると共に、前記上位装置に接続された前記コードレス通信装置の親機に、前記第１の設定情報を供給したか、前記第２の設定情報を供給したかを記憶保持する設定情報記憶保持部を備え、
前記上位装置は、前記設定情報記憶保持部に記憶されている設定情報に基づいて、前記上位装置に接続されている複数個の前記親機の前記記憶部に記憶される情報が、前記第１の設定情報と、前記第２の設定情報とが同数となるように、新たに接続された前記親機に前記第１の設定情報または前記第２の設定情報のいずれかを供給するかを決定する
ことを特徴とする請求項１または請求項２に記載の無線通信システム。
【請求項５】
前記親機は、前記子機との間での無線通信のためのタイムスロットの確立ができなかったときには、前記同期信号発生回路から、前記第１の同期信号と前記第２の同期信号のうち、前記記憶部に記憶されていない方の同期位相の同期信号を発生させるように、前記同期信号発生回路を切り替える
ことを特徴とする請求項１〜請求項４のいずれかに記載の無線通信システム。
【請求項６】
無線通信システムは、電話装置であって、前記上位装置は、電話回線に接続される主装置であり、前記コードレス通信装置は、コードレス電話装置である
ことを特徴とする請求項１〜請求項５のいずれかに記載の無線通信システム。
【請求項７】
上位装置に対して、親機と１又は複数の子機とからなるコードレス通信装置が複数接続されると共に、前記親機と前記１又は複数の子機との間では、単位通信期間を複数のタイムスロットに分割し、その一つのタイムスロットを用いてＴＤＭＡ／ＴＤＤ方式の無線通信を行うようにする無線通信システムにおける無線通信方法であって、
前記親機のそれぞれは、第１の同期位相と第２の同期位相のいずれかの設定を保持する保持部を備えていて、
前記親機のそれぞれは、前記保持部に保持されている前記設定が前記第１の同期位相であるときには、前記上位装置から受ける基準同期信号に同期し、前記単位通信期間を１周期とする第１の同期信号を発生し、前記保持部に保持されている前記設定が前記第２の同期位相であるときには、前記第１の同期信号に対して１タイムスロット分ずれた位相の、前記単位通信期間を１周期とする第２の同期信号を発生し、発生した前記第１の同期信号又は前記第２の同期信号に基づいて、前記複数のタイムスロットの一つ置きのタイムスロットの中から、前記子機との間での無線通信のためのタイムスロットを確立するようにする
ことを特徴とする無線通信方法。
【発明の詳細な説明】
【技術分野】
【０００１】
この発明は、デジタルコードレス電話に適用して好適なＴＤＭＡ（Time  Division  Multiple  Access；時分割多元接続）／ＴＤＤ（Time  Division  Duplex；時分割二重化）方式の無線通信方式を利用した無線通信システム及び無線通信方法に関する。
【背景技術】
【０００２】
日本においては、デジタルコードレス電話の標準規格Ｔ１０１が、一般社団法人電波産業会（ＡＲＩＢ）により、２０１１年に策定され、その中に、ＤＥＣＴ（Digital  Enhanced  Cordless  Telecommunication）規格の技術内容が含まれている。
【０００３】
デジタルコードレス電話のＤＥＣＴ規格においては、親機から子機へのダウンリンクでの通信方式は時分割多重方式を使用する時分割複信方式であること、子機から親機へのアップリンクの通信方式は時分割多元接続方式であること、周波数は従来のコードレス電話（２．４ＧＨｚ）とは異なる１．９ＧＨｚ帯を使用すること、チャンネル数は、最大５チャンネルであること、などが定められている。
【０００４】
そして、ＤＥＣＴ規格においては、符号化データの１チャンネルにおける１フレームは１０ミリ秒（ｍｓ）であり、図９（Ａ）に示すように、２４タイムスロット（以下、タイムスロットは単にスロットという）に分割されている。そして、１フレームの前半の１／２フレーム期間の１２スロットＳ０〜Ｓ１１は、親機から子機へのダウンリンクに用いられ、後半の１／２フレーム期間の１２スロットＳ１２〜Ｓ２３は、子機から親機へのアップリンクに用いられる（例えば特許文献１（特開２０００−２８７２６９号公報）参照）。
【先行技術文献】
【特許文献】
【０００５】
【特許文献１】特開２０００−２８７２６９号公報
【発明の概要】
【発明が解決しようとする課題】
【０００６】
ＤＥＣＴ規格のコードレス電話で通話を行う場合、親機から子機へのダウンリンクで１スロット、子機から親機へのアップリンクで１スロットの、合計２スロットを使用することになり、原理的には、１チャンネルで最大で１２通話が同時に可能となる。しかし、従来は、隣接スロットを使用する場合のＰＬＬ（Phase  locked  Loop）シンセサイザのロックアップタイム（周波数を設定してからＰＬＬによる位相制御が完了するまでの時間）やフルスロット・ロングスロット（フルスロット２つ分を使用したスロット（広帯域））の無線スロットの切替制御の困難性を考慮して、一般的には、使用中のスロットと隣接するスロットは空けて、一つ置きのスロットを用いて無線通信を行う。
【０００７】
すなわち、従来は、ＤＥＣＴ規格のコードレス電話で通話を行うには、図９（Ｂ）に示すように、ダウンリンクでは、一つ置きのスロットＳ０，Ｓ２，Ｓ４，Ｓ６，Ｓ８，Ｓ１０の６スロットを用い、アップリンクでは、一つ置きのスロットＳ１２，Ｓ１４，Ｓ１６，Ｓ１８，Ｓ２０，Ｓ２２の６スロットを用いるようにしており、１チャンネルで最大で６通話分しか同時に通話できない。
【０００８】
ところで、ビジネスホンのような電話システムとして、主装置（構内交換装置）に対して、親機と子機とからなるコードレス電話装置が、内線装置として複数接続されるものが知られている。このような電話システムでは、複数の内線装置、すなわち、複数のコードレス電話装置で同時通話が行えることが重要である。
【０００９】
しかし、内線装置として上述したＤＥＣＴ規格のコードレス電話装置を用いた場合、原理的には１チャンネルで最大で１２通話の同時通話が可能であるところ、実際上は、６通話の同時通話しかできず、非効率となっていた。
【００１０】
この発明は、以上のように、単位通信期間を構成する複数のスロットの内の一つ置きのスロットを用いて無線通信を行うという条件を満足しながら、原理的に使用可能なスロット数に応じた最大数の同時通信を可能にする無線通信システム及び無線通信方法を提供することを目的とする。
【課題を解決するための手段】
【００１１】
上記の課題を解決するために、請求項１の発明は、
上位装置に対して、親機と１又は複数の子機とからなるコードレス通信装置が複数接続されると共に、前記親機と前記１又は複数の子機との間では、単位通信期間を複数のスロットに分割し、その一つのスロットを用いてＴＤＭＡ／ＴＤＤ方式の無線通信を行うようにする無線通信システムにおいて、
前記親機のそれぞれは、
第１の同期位相と第２の同期位相のいずれかの設定を保持する保持部と、
前記保持部に保持されている前記設定が前記第１の同期位相であるときには、前記上位装置から受ける基準同期信号に同期し、前記単位通信期間を１周期とする第１の同期信号を発生し、前記保持部に保持されている前記設定が前記第２の同期位相であるときには、前記第１の同期信号に対して１スロット分ずれた位相の、前記単位通信期間を１周期とする第２の同期信号を発生する同期信号発生回路と、
前記同期信号発生回路からの前記第１の同期信号又は前記第２の同期信号に基づいて、前記複数のスロットの一つ置きのスロットの中から、前記子機との間での無線通信のためのスロットを確立して、前記子機との間で無線通信を行う無線通信回路と、
を備えることを特徴とする無線通信システムを提供する。
【００１２】
上述の構成の請求項１の発明においては、上位装置に対して、親機と１又は複数の子機とからなるコードレス通信装置が複数接続される無線通信システムにおいて、全てのコードレス通信装置の親機には、上位装置から基準同期信号が供給されている。そのため、全てのコードレス通信装置は、この上位装置からの基準同期信号に対して同期したスロットにおいて、ＴＤＭＡ／ＴＤＤ方式の無線通信を行う。
【００１３】
親機の保持部には、予め、第１の同期位相と第２の同期位相のいずれかの設定が保持されている。そして、保持部に第１の同期位相が設定されている親機の同期信号発生回路は、上位装置から受ける基準同期信号に同期し、単位通信期間を１周期とする第１の同期信号を発生する。また、保持部に第２の同期位相が設定されている親機の同期信号発生回路は、第１の同期信号に対して１スロット分ずれた位相であって、単位通信期間を１周期とする第２の同期信号を発生する。
【００１４】
そして、親機の無線通信回路のそれぞれは、同期信号発生回路から発生する第１の同期信号又は第２の同期信号に基づいて、複数のスロットの一つ置きのスロットの中から、子機との間での無線通信のためのスロットを確立して、子機との間で無線通信を行う。
【００１５】
この場合に、保持部に第１の同期位相が設定されている親機は、第１の同期信号に基づいた一つ置きのスロットの内の一つのスロットを、子機との間の無線通信のためのスロットとして確立する。一方、保持部に第２の同期位相が設定されている親機は、第１の同期信号とは１スロット分ずれた位相の第２の同期信号に基づいて、子機との間での無線通信のためのスロットを確立するので、その確立されるスロットは、単位通信期間で見ると、第１の同期信号に基づいた一つ置きのスロットとは重ならない、当該第１の同期信号に基づいた一つ置きのスロットに隣接する一つ置きのスロットの一つである。
【００１６】
したがって、この発明によれば、親機のそれぞれは、上位装置からの基準同期信号に同期した一つ置きのスロットの内の一つのスロットで無線通信を行うが、保持部に第１の同期位相が設定されている親機と、保持部に第２の同期位相が設定されている親機とでは、子機との間での無線通信に使用する複数のスロットは、互いに重ならない、隣接したスロットとなっており、実質上、単位通信期間において使用できる全てのスロットを、親機と子機との間で利用することができることになる。
【００１７】
また、請求項２の発明は、請求項１の発明において、
前記単位通信期間の前半の期間と後半の期間の一方が前記親機から前記子機への送信用の期間とされ、他方が前記子機から前記親機への送信用の期間とされ、
前記第２の同期信号は、前記第１の同期信号に対して前記単位通信期間の１／２の期間分と前記１スロット分の和の分ずれた位相とされてなる
ことを特徴とする無線通信システムである。
【００１８】
この請求項２の発明においては、例えば、単位通信期間の前半の期間が親機から子機への送信用（ダウンリンク用）の期間とされ、単位通信期間の後半の期間が子機から親機への送信用（アップリンク用）の期間とされる。そして、第２の同期信号は、第１の同期信号に対して１／２単位通信期間と１スロット分の和の分ずれた位相とされる。したがって、第１の同期信号と第２の同期信号とでは、ほぼ、一方がダウンリンク用の期間となるとき、他方がアップリンク用の期間となるような関係となる。
【００１９】
したがって、保持部に第１の同期位相が設定されている親機と、保持部に第２の同期位相が設定されている親機とでは、スロットが重ならないのみではなく、ダウンリンク同士及びアップリンク同士が重なることはない。このため、複数のコードレス通信装置との間において、トラフィックの混雑を回避でき、送信エラー等を極力防止することができるという効果を奏する。
【００２０】
また、請求項３の発明は、請求項１又は請求項２に記載の発明において、
前記親機と前記１又は子機とからなる前記コードレス通信装置は、前記親機が前記上位装置に接続されることで、前記上位装置に登録されるものであり、
前記上位装置は、前記親機が接続される毎に、前記第１の同期位相を設定する第１の設定情報と前記第２の同期位相を設定する第２の設定情報とを交互に前記親機に送り、前記親機は、前記上位装置から送られてくる前記第１の設定情報または前記第２の設定情報を記憶部に記憶する
ことを特徴とする無線通信システムである。
【００２１】
この請求項３の発明においては、親機は、上位装置に接続されたときに、上位装置から送られてくる第１の同期位相を設定する第１の設定情報または第２の同期位相を設定する第２の設定情報を受けて、記憶部に記憶するようにする。したがって、親機の記憶部には、第１の同期位相を設定する第１の設定情報または第２の同期位相を設定する第２の設定情報が自動的に記憶される。
【００２２】
しかも、上位装置は、親機が接続される毎に、第１の同期位相を設定する第１の設定情報と第２の同期位相を設定する第２の設定情報とを交互に親機に送るようにしているので、記憶部に第１の同期位相を設定する第１の設定情報が記憶されている親機と、記憶部に第２の同期位相を設定する第２の設定情報が記憶されている親機との数はほぼ等しくなる。よって、単位通信期間における複数のスロットを常に有効に使用することができるようになる。
【発明の効果】
【００２３】
この発明によれば、単位通信期間を構成する複数のスロットの内の一つ置きのスロットを用いて無線通信を行うという条件を満足しながら、原理的に使用可能なスロット数に応じた最大数の同時通信を可能にする無線通信システムを提供することができる。
【００２４】
また、請求項２の発明によれば、ダウンリンク同士及びアップリンク同士が重なることはないので、複数のコードレス通信装置との間において、トラフィックの混雑を回避でき、送信エラー等を極力防止することができるという効果を奏する。
【００２５】
また、請求項３の発明によれば、親機の保持部には、第１の同期位相を設定する第１の情報または第２の同期位相を設定する第２の設定情報を自動的に記憶することができると共に、記憶部に第１の同期位相を設定する第１の設定情報が記憶されている親機と、記憶部に第２の同期位相を設定する第２の設定情報が記憶されている親機との数をほぼ等しくすることができる。よって、トラフィックの混雑を回避でき、送信エラー等を極力防止することができると共に、単位通信期間における複数のスロットを常に有効に使用することができるようになる。
【図面の簡単な説明】
【００２６】
【図１】この発明による無線通信システムの実施形態の全体の概要を説明するためのブロック図である。
【図２】この発明による無線通信システムの実施形態の要部を説明するためのタイミングチャートを示す図である。
【図３】この発明による無線通信システムの実施形態の一部を構成する主装置の詳細構成例を示すブロック図である。
【図４】この発明による無線通信システムの実施形態の要部を説明するためのシーケンス図である。
【図５】この発明による無線通信システムの実施形態の一部を構成する親機の詳細構成例を示すブロック図である。
【図６】図５の親機の要部の動作を説明するためのタイミングチャートを示す図である。
【図７】この発明による無線通信システムの実施形態の一部の詳細構成例を示すブロック図である。
【図８】この発明による無線通信システムの実施形態の他の構成例を示すブロック図である。
【図９】ＤＥＣＴ規格の１フレームを説明するための図である。
【発明を実施するための形態】
【００２７】
以下、この発明による無線通信システムの実施形態を、ビジネスホンと呼ばれる電話システムに適用した場合を例にとって、図を参照しながら説明する。
【００２８】
図１は、この発明による無線通信システムの実施形態としての電話システム１０の全体の構成例を示すブロック図である。この例の電話システム１０においては、上位装置の例としての主装置１に対して、内線電話装置として、複数のコードレス電話装置２１、２２、・・・、２ｎ（ｎは２以上の整数。以下同じ）が接続されている。コードレス電話装置２１〜２ｎのそれぞれは、コードレス通信装置の例であり、親機としてのベースセットＢＳ１、ＢＳ２、・・・、ＢＳｎのそれぞれと、子機としてのハンドセットＨＳ１、ＨＳ２、・・・、ＨＳｎのそれぞれとからなり、親機ＢＳ１〜ＢＳｎのそれぞれと、子機ＨＳ１〜ＨＳｎのそれぞれとは、無線接続される。
【００２９】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置２１、２２、・・・、２ｎのみではなく、通常のビジネスホンと同様に、デジタルボタン電話端末も接続することも可能である。
【００３０】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格を用いたＴＤＭＡ／ＴＤＤ方式により行うようにしている。
【００３１】
主装置１は、１又は複数の電話回線Ｌ１〜Ｌｍ（ｍは１以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。
【００３２】
主装置１は、複数のコードレス電話装置２１〜２ｎについての呼制御及び回線交換制御、その他のビジネスホンとしての制御を行うと共に、基準同期信号ＳＹＮＣを複数のコードレス電話装置２１〜２ｎのそれぞれに供給する機能を備えている。基準同期信号ＳＹＮＣは、この例では、１３０ミリ秒（ｍｓ）周期の信号とされている。
【００３３】
コードレス電話装置２１〜２ｎの親機ＢＳ１〜ＢＳｎのそれぞれは、主装置１からの基準同期信号ＳＹＮＣに同期して、ＤＥＣＴ規格のデジタルコードレス電話の単位通信期間である１フレーム（１０ミリ秒（ｍｓ））の周期の同期信号としてのフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。したがって、複数のコードレス電話装置２１〜２ｎの全ては、主装置１からの基準同期信号ＳＹＮＣに同期した動作をする。
【００３４】
そして、この実施形態では、主装置１からの基準同期信号ＳＹＮＣに対するコードレス電話装置２１〜２ｎのフレーム同期位相として、第１の同期位相と第２の同期位相の２通りが用意されており、コードレス電話装置２１〜２ｎは、その２通りの同期位相のいずれか一方の同期位相のフレーム同期信号で駆動するように設定される。主装置１は、基準同期信号ＳＹＮＣに対するコードレス電話装置２１〜２ｎのフレーム同期位相を設定するための同期位相設定情報として、第１の同期位相を設定する第１の設定情報ＳＥａと第２の同期位相を設定する第２の設定情報ＳＥｂとを発生する。
【００３５】
コードレス電話装置２１〜２ｎの親機ＢＳ１〜ＢＳｎのそれぞれは、第１の設定情報ＳＥａと第２の設定情報ＳＥｂとのいずれかを記憶する記憶部ＭＥＭ１〜ＭＥＭｎを備える。この実施形態では、後述するように、親機ＢＳ１〜ＢＳｎのそれぞれが主装置１に接続されたときに、主装置１から第１の設定情報ＳＥａまたは第２の設定情報ＳＥｂのいずれかが、当該主装置に接続された親機ＢＳ１〜ＢＳｎに供給されて、その記憶部ＭＥＭ１〜ＭＥＭｎに自動的に記憶される。この場合に、後述するように、主装置１は、複数のコードレス電話装置２１〜２ｎにおいて、第１の同期位相のフレーム同期信号で動作するコードレス電話装置と第２の同期位相のフレーム同期信号で動作するコードレス電話装置とが同数となるように、第１の設定情報ＳＥａまたは第２の設定情報ＳＥｂのいずれかを親機ＢＳ１〜ＢＳｎのそれぞれに供給するようにする。
【００３６】
親機ＢＳ１〜ＢＳｎのそれぞれは、それぞれの記憶部ＭＥＭ１〜ＭＥＭｎに記憶されている同期位相設定情報に基づいて、第１の同期位相のフレーム同期信号または第２の同期位相のフレーム同期信号を生成し、その生成したフレーム同期信号に基づいて、子機ＨＳ１〜ＨＳｎとの間で、１フレーム期間の複数のスロットの一つ置きのスロットの内の一つを用いて無線通信を行うように制御する。
【００３７】
ここで、第１の同期位相のフレーム同期信号または第２の同期位相のフレーム同期信号及びこれらのフレーム同期信号に基づいて使用するスロットについて、図２を参照して説明する。
【００３８】
なお、以下の説明において、第１の同期位相の同期を同期Ａと称し、第２の同期位相の同期を同期Ｂと称することとする。
【００３９】
図２（Ａ）は、主装置１から供給される基準同期信号ＳＹＮＣ（１３０ｍｓ周期）を示す。そして、図２（Ｂ）は、基準同期信号ＳＹＮＣに同期するように生成される第１の同期位相、すなわち、同期Ａのフレーム同期信号ＦＬＡ（１０ｍｓ周期）を示している。また、図２（Ｄ）は、第２の同期位相、すなわち、同期Ｂのフレーム同期信号ＦＬＢを示している。この同期Ｂのフレーム同期信号ＦＬＢは、この実施形態では、基準同期信号ＳＹＮＣに同期すると共に、同期Ａのフレーム同期信号ＦＬＡに対して、（１／２フレーム分＋１スロット分）だけ位相がずれた（遅延した）信号とされる。
【００４０】
親機ＢＳ１〜ＢＳｎの内、記憶部ＭＥＭ１〜ＭＥＭｎに、同期Ａを設定する第１の設定情報ＳＥａが記憶されている親機（以下、同期Ａの親機という）では、同期Ａのフレーム同期信号ＦＬＡ（図２（Ｂ））を生成し、このフレーム同期信号ＦＬＡに基づいて、図２（Ｃ）に示すように、１フレームの２４個のスロットＳＡ０〜ＳＡ２３のうち、ダウンリンク（親機から子機への送信）では、斜線を付して示す一つ置きのスロットＳＡ０、ＳＡ２、・・・、ＳＡ１０の一つを用い、アップリンク（子機から親機への送信）では、斜線を付して示す一つ置きのＳＡ１２、ＳＡ１４、・・・、ＳＡ２２の一つを用いて、子機ＨＳ１〜ＨＳｎの内の対応する子機との間での通信を行う。
【００４１】
また、親機ＢＳ１〜ＢＳｎの内、記憶部ＭＥＭ１〜ＭＥＭｎに、同期Ｂを設定する第２の設定情報ＳＥｂが記憶されている親機（以下、同期Ｂの親機という）では、同期Ｂのフレーム同期信号ＦＬＢ（図２（Ｄ））を生成し、このフレーム同期信号ＦＬＢに基づいて、図２（Ｅ）に示すように、１フレームの２４個のスロットＳＢ０〜ＳＢ２３のうち、ダウンリンク（親機から子機への送信）では、斜線を付して示す一つ置きのスロットＳＢ０、ＳＢ２、・・・、ＳＢ１０の一つを用い、アップリンク（子機から親機への送信）では、斜線を付して示す一つ置きのスロットＳＢ１２、ＳＢ１４、・・・、ＳＢ２２の一つを用いて、子機ＨＳ１〜ＨＳｎの内の対応する子機との間での通信を行う。
【００４２】
前述したように、同期Ａのフレーム同期信号ＦＬＡと、同期Ｂのフレーム同期信号ＦＬＢとは、基準同期信号ＳＹＮＣに同期に同期している共に、互いに（１／２フレーム分＋１スロット分）だけ位相がずれた信号となっているので、図２（Ｃ）と図２（Ｅ）とを参照することで明らかなように、同期Ａの親機と子機との間で無線通信に使用するスロットＳＡ０、ＳＡ２、・・・、ＳＡ１０及びＳＡ１２、ＳＡ１４、・・・、ＳＡ２２と、同期Ｂの親機と子機との間で無線通信に使用するスロットＳＢ０、ＳＢ２、・・・、ＳＢ１０及びスロットＳＢ１２、ＳＢ１４、・・・、ＳＢ２２とは、互いに重なり合わない時間区間となる。
【００４３】
したがって、図２（Ｆ）に示すように、同期ＡのスロットＳＡ０〜ＳＡ２３の内の一つ置きのスロットＳＡ０、ＳＡ２、・・・、ＳＡ１０及びＳＡ１２、ＳＡ１４、・・・、ＳＡ２２と、同期ＢのスロットＳＢ０〜ＳＢ２３の内のスロットＳＢ０、ＳＢ２、・・・、ＳＢ１０及びスロットＳＢ１２、ＳＢ１４、・・・、ＳＢ２２の全てが利用可能となるので、１チャンネル当たり１２個の同時通話が可能となる。
【００４４】
しかも、同期Ａと同期Ｂとでは、１スロット分位相がずれてはいるが、一方がダウンリンクの１／２フレーム期間のときには、他方はアップリンクの１／２フレーム期間となっており、同期Ａの親機と子機との間の無線通信と、同期Ｂの親機と子機との間の無線通信とで、ダウンリンクのスロット同士、また、アップリンクのスロット同士が隣接することがない。すなわち、同期Ａの親機と子機との間の無線通信と、同期Ｂの親機と子機との間の無線通信とでは、使用するスロットが重ならないのみではなく、ダウンリンク同士及びアップリンク同士が重なることはない。
【００４５】
以上のことから、コードレス電話装置２１〜２ｎの内の複数個が同時通話の状態となったとしても、トラフィックの混雑を回避でき、送信エラー等を極力防止することができるという効果を奏する。
【００４６】
次に、図１の主装置１、親機ＢＳ１〜ＢＳｎ、子機ＨＳ１〜ＨＳｎのそれぞれの詳細な構成例について説明する。
【００４７】
［主装置１の構成例；図３］
図３は、主装置１の構成例を示すブロック図である。この図３に示すように、主装置１は、電話回線Ｌ１〜Ｌｍが接続される回線インターフェース１１と、コンピュータを搭載して、主装置１の全体を制御するための制御回路１２と、回線ＬＳＩ（Large  Scale  Integrated  Circuit）部１３と、アドレス管理部１４と、基準発振器１５とを備えて構成されている。
【００４８】
回線インターフェース１１は、制御回路１２からの制御により、回線Ｌ１〜Ｌｎからの音声信号（受話音声信号）は、回線ＬＳＩ部１３に供給し、回線からの呼制御信号などの制御信号は、制御回路１２に供給する。また、回線インターフェース１１は、制御回路１２からの制御により、回線ＬＳＩ部１３からの音声信号（送話音声信号）は、回線Ｌ１〜Ｌｎを通じて相手方に送信し、制御回路１２からの呼制御信号などの制御信号も、回線Ｌ１〜Ｌｎを通じて相手方に送信する。
【００４９】
回線ＬＳＩ部１３は、ｎ個の内線電話装置に対応して、ｎ個の内線処理回路１３１，１３２，・・・，１３ｎと、タイミング信号生成部１３０を備える。
【００５０】
タイミング信号生成部１３０には、水晶振動子を用いた高精度の基準発振器１５からの基準クロック信号から伝送用クロック信号ＣＫ及び多重化／分割化用タイミング信号ＴＭを生成し、ｎ個の内線処理回路１３１〜１３ｎに供給する。
【００５１】
ｎ個の内線処理回路１３１〜１３ｎは、全く同一の構成を備えるもので、それぞれ、音声信号処理部３１と、制御信号処理部３２と、同期信号処理部３３と、多重化／分割化処理部３４とからなる。
【００５２】
音声信号処理部３１は、回線インターフェース１１に接続されると共に、多重化／分割化処理部３４に接続されており、回線インターフェース１１からの受話音声信号及び多重化／分割化処理部３４からの送話音声信号の処理回路である。この音声信号処理部３１には、タイミング信号生成部１３０からの伝送用クロック信号ＣＫが供給されている。
【００５３】
制御信号処理部３２は、制御回路１２の制御信号入出力端に接続されると共に、多重化／分割化処理部３４に接続されており、発信時及び着信時、また、終話時などにおける呼制御信号などの制御信号（主装置１からコードレス電話装置への制御信号と、コードレス電話装置から主装置１への制御信号の両方）の処理回路である。この制御信号処理部３２にも、タイミング信号生成部１３０からの伝送用クロック信号ＣＫが供給されている。
【００５４】
同期信号処理部３３は、制御回路１２の同期信号出力端に接続されると共に、多重化／分割化処理部３４に接続されており、制御回路１２からの所定の同期信号パターンを有する基準同期信号ＳＹＮＣの処理回路である。この同期信号処理部３３にも、同様に、タイミング信号生成部１３０からの伝送用クロック信号ＣＫが供給されている。
【００５５】
多重化／分割化処理部３４は、音声信号処理部３１、制御信号処理部３２、同期信号処理部３３に接続されると共に、コードレス電話装置２１〜２ｎの親機ＢＳ１〜ＢＳｎのそれぞれに接続される。そして、多重化／分割化処理部３４は、タイミング信号生成部１３０からのタイミング信号ＴＭに基づいて、音声信号処理部３１からの音声信号と、制御信号処理部３２からの制御信号と、同期信号処理部３３からの基準同期信号ＳＹＮＣとを多重化（時分割多重）して多重化信号を生成し、その生成した多重化信号を親機ＢＳ１〜ＢＳｎのそれぞれに供給する。また、多重化／分割化処理部３４は、タイミング信号生成部１３０からのタイミング信号ＴＭに基づいて、親機ＢＳ１〜ＢＳｎのそれぞれからの多重化信号を音声信号と制御信号とに分割して、音声信号は音声信号処理部３１に、制御信号は制御信号処理部３２に、それぞれ供給する。
【００５６】
アドレス管理部１４は、主装置１に接続されているコードレス電話装置２１〜２ｎの内線番号と内線処理回路１３１〜１３ｎのそれぞれとの対応を記憶管理する。この実施形態の電話システム１０においては、主装置１にコードレス電話装置２１〜２ｎのいずれかが接続された時に、そのコードレス電話装置の親機は、主装置１に対して接続要求を送る。主装置１は、そのコードレス電話装置の親機からの接続要求を制御信号として受けた内線処理回路が内線処理回路１３１〜１３ｎの内のいずれであるかを検知することにより、コードレス電話装置が接続された内線処理回路を検知する。そして、制御装置１２は、設置工事者や管理者等により設定された内線番号、あるいは自動的に設定された内線番号と、コードレス電話装置が接続された内線処理回路の識別情報とを対応付けてアドレス管理部１４に登録する。
【００５７】
そして、この実施形態では、主装置１にコードレス電話装置２１〜２ｎのいずれかが接続された時に、主装置１は、当該接続されたコードレス電話装置２１〜２ｎのいずれかに対して、同期位相設定情報として第１の設定情報ＳＥａまたは第２の設定情報ＳＥｂのいずれかを送って、その新たに接続されたコードレス電話装置２１〜２ｎのいずれかを、同期Ａと同期Ｂのいずれで動作させるべきかを設定するようにする。新たに接続されたコードレス電話装置２１〜２ｎのいずれかは、前述したように、主装置１からの同期位相設定情報を受信して、その記憶部（記憶部ＭＥＭ１〜ＭＥＭｎのいずれか）に記憶保持することで、同期Ａまたは同期Ｂの同期位相設定情報を自動的に設定する。
【００５８】
この場合に、この実施形態では、主装置１は、新たなコードレス電話装置が接続される毎に、同期Ａと同期Ｂとを交互に割り当てるようにする。
【００５９】
図４は、主装置１に対してコードレス電話装置の親機が接続されたときの処理シーケンスを示す図である。
【００６０】
図４の例においては、まず、主装置１に対して、一番目に、コードレス電話装置２１の親機ＢＳ１が接続されて、その親機ＢＳ１から接続要求が制御信号として、主装置１に送られる。主装置１では、その接続要求を受信して、前述したように、親機ＢＳ１が例えば内線処理回路１３１に接続されたことを検知し、その内線処理回路１３１と内線番号と対応付けて、アドレス管理部１４に記憶することで、親機ＢＳ１の登録を行う。そして、登録が終了すると、接続要求に対する応答を、主装置１は、親機ＢＳ１に送り、接続の登録が終了したことを通知する。
【００６１】
次に、主装置１は、親機ＢＳ１の接続は、一番目であるので、当該親機ＢＳ１に対して、同期位相設定情報として、この例では、同期Ａを設定する第１の設定情報ＳＥａを制御信号により送る。そして、主装置１は、当該接続してきた親機に対して同期Ａを設定する第１の設定情報ＳＥａを送ったことを前回設定情報記憶部に記憶するようにする。
【００６２】
この同期Ａを設定する第１の設定情報ＳＥａを受け取ったコードレス電話装置２１の親機ＢＳ１は、記憶部ＭＥＭ１に受信した第１の設定情報ＳＥａを記憶し、子機ＨＳ１との接続を開始し、同期Ａ用のスロットＳＡ〜ＳＡ２３のいずれか２つを用いた同期通信を開始するようにする。
【００６３】
次に、主装置１に対して、コードレス電話装置２２の親機ＢＳ２が２番目に接続されると、その親機ＢＳ２から接続要求が制御信号として、主装置１に送られる。主装置１では、その接続要求を受信して、前述と同様にして、親機ＢＳ２が例えば内線処理回路１３２に接続されたことを検知し、その内線処理回路１３２と内線番号と対応付けて、アドレス管理部１４に記憶することで、親機ＢＳ２の登録を行う。そして、登録が終了すると、接続要求に対する応答を、主装置１は、親機ＢＳ２に送り、接続の登録が終了したことを通知する。
【００６４】
次に、主装置１は、前回設定報記憶部に記憶されている同期位相設定情報を参照して、前回の同期位相設定情報が同期Ａを設定する第１の設定情報ＳＥａか、同期Ｂを設定する第２の設定情報ＳＥｂかを判別する。親機ＢＳ２の接続は、二番目であり、前回設定情報記憶部に記憶されている同期位相設定情報は、同期Ａを設定する第１の設定情報ＳＥａであったので、ここでは、主装置１は、親機ＢＳ２に対して、前回とは異なる同期Ｂを設定する第２の設定情報ＳＥｂを制御信号により送る。そして、主装置１は、同期Ｂを設定する第２の設定情報を前回設定情報記憶部に記憶するようにする。
【００６５】
この同期Ｂを設定する第２の設定情報ＳＥｂを受け取ったコードレス電話装置２２の親機ＢＳ２は、記憶部ＭＥＭ２に受信した第２の設定情報ＳＥｂを記憶し、子機ＨＳ２との接続を開始し、同期Ｂ用のスロットＳＢ０〜ＳＢ２３のいずれか２つを用いた同期通信を開始するようにする。
【００６６】
以下同様にして、主装置１は、新たにコードレス電話装置の親機が接続される毎に、その親機が内線として登録されると共に、同期Ａと同期Ｂのうち、前回とは異なる同期位相を設定するようにする同期位相設定情報を、その接続された親機に送信するようにする。
【００６７】
以上のようにして、主装置１にコードレス電話装置の親機が接続される毎に、同期Ａと同期Ｂとが交互になるように同期位相設定情報が、その接続された親機に供給されて、その親機の記憶部に記憶される。このため、主装置１に複数のコードレス電話装置が接続された時には、同期Ａで動作する親機、すなわち、コードレス電話装置と、同期Ｂで動作する親機、すなわち、コードレス電話装置とが、ほぼ同数ずつ存在する状態となる。したがって、１同期フレームにおいて、トラフィックの混雑をできるだけ回避しつつ、１同期フレームにおける複数のスロットを常に有効かつ効率良く使用することができるようになる。
【００６８】
なお、上述の説明では、次に接続されるコードレス電話装置を同期Ａと同期Ｂのいずれにするかを設定するための情報として、前回設定情報記憶部に前回の同期位相設定情報を記憶しておき、主装置１がこの前回設定情報記憶部を参照することで、今回の同期位相設定情報を第１の設定情報ＳＥａと第２の設定情報ＳＥｂのいずれにするかを決定するようにした。
【００６９】
しかし、主装置１に前回設定情報記憶部を設けるのではなく、アドレス管理部１４に、主装置１に接続された親機に設定した同期位相設定情報を、当該親機の接続時点の日時情報と共に記憶しておくようにしてもよい。この場合には、主装置１の制御回路１２は、アドレス管理部１４の記憶情報を参照することで、最後に接続された、つまり前回接続されたコードレス電話装置の親機の同期位相設定情報が、同期Ａを設定する第１の設定情報ＳＥａか、同期Ｂを設定する第２の設定情報ＳＥｂかのいずれであるかを判別し、その判別結果に基づいて、新たに接続された親機に送る同期位相設定情報を、第１の設定情報ＳＥａとするか、第２の設定情報ＳＥｂとするかを決定するようにする。
【００７０】
また、主装置１に接続された親機に設定した同期位相設定情報を、アドレス管理部１４に、親機の接続時点の日時情報と共に記憶しておくようにした場合には、最後に接続された、つまり前回接続されたコードレス電話装置の親機に設定された同期位相設定情報が同期Ａか同期Ｂかに基づいて、次に接続されたコードレス電話装置の親機に提供する同期位相設定情報を定めるのではなく、アドレス管理部１４に記憶されている複数個のコードレス電話装置の親機に設定されている同期Ａと同期Ｂとの数が同数になるように、次に接続されたコードレス電話装置の親機に提供する同期位相設定情報を定めるようにしてもよい。この場合には、アドレス管理部１４の記憶部からは、一旦、主装置１に接続された後に、接続が解除されたコードレス電話装置についての情報が消去されることを考慮して、現状において、主装置１に接続されている全てのコードレス電話装置において、同期Ａと同期Ｂとが同数になるように、制御回路１２は、新たに接続された親機に対する同期位相設定情報を決定することができる。
【００７１】
［コードレス電話装置の構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００７２】
＜親機の構成例；図５＞
図５は、親機ＢＳ１の構成例を示すブロック図である。この図５に示すように、親機ＢＳ１は、親機ＢＳ１の全体を制御するための制御回路４１と、回線ＬＳＩ部４２と、同期信号発生回路４３と、無線通信回路４４と、発振器４５及び４６とを備えて構成されている。
【００７３】
制御回路４１は、コンピュータを搭載して構成されており、前述した同期位相設定情報の記憶部ＭＥＭ１を備える。そして、制御回路４１は、この親機ＢＳ１における呼制御などの制御を行う機能を備えると共に、ソフトウエア機能手段として同期切替部４１１を備える。この同期切替部４１１は、記憶部ＭＥＭ１に記憶されている同期位相設定情報により設定される同期Ａ又は同期Ｂに、当該親機ＢＳ１を設定するための同期切替信号を発生し、発生した同期切替信号を同期信号発生回路４３に供給する。
【００７４】
回線ＬＳＩ部４２は、主装置１との間で音声信号、制御信号及び同期信号のやり取りをするための回路であり、分割化／多重化処理部４２１と、制御信号処理部４２２と、音声信号処理部４２３と、同期信号処理部４２４と、ＰＬＬ（Phase  locked  Loop）部４２５とからなる。
【００７５】
ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。
【００７６】
ＰＬＬ部４２５は、主装置１からの多重化信号から、いわゆるセルフクロッキングにより、主装置１のタイミング信号生成部１３０からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００７７】
そして、ＰＬＬ部４２５は、生成したシステムクロック信号ＳＣＫを分割化／多重化処理部４２１、制御信号処理部４２２、音声信号処理部４２３、同期信号処理部４２４のそれぞれに、信号処理用クロック信号として供給すると共に、同期信号発生回路４３に供給する。
【００７８】
分割化／多重化処理部４２１は、主装置１の内線処理回路１３１に接続されると共に、制御信号処理部４２２、音声信号処理部４２３、同期信号処理部４２４に接続される。そして、分割化／多重化処理部４２１は、主装置１からの多重化信号から制御信号と音声信号と基準同期信号ＳＹＮＣを分割して、制御信号は制御信号処理部４２２に、音声信号は音声信号処理部４２３に、基準同期信号ＳＹＮＣは同期信号検出部４２４に、それぞれ供給する。
【００７９】
また、分割化／多重化処理部４２１は、制御信号処理部４２２からの制御信号と、音声信号処理部４２３からの音声信号とを多重化して多重化信号を生成し、その生成した多重化信号を主装置１に供給する。
【００８０】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００８１】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００８２】
同期信号検出部４２４は、分割化／多重化処理部４２１からの基準同期信号ＳＹＮＣを受けて、当該基準同期信号ＳＹＮＣが備える所定の同期信号パターンを検出することで、その検出時点の信号として、基準同期信号ＳＹＮＣと同期する、基準同期信号ＳＹＮＣと同一周期（１３０ｍｓ）の基準同期パルスＰＳを発生する。そして、同期信号検出部４２４は、発生した基準同期パルスＰＳを同期信号発生回路４３に供給する。
【００８３】
同期信号発生回路４３は、カウンタ４３１と、同期信号生成部４３２とからなる。カウンタ４３１には、回線ＬＳＩ部４２の同期信号検出部４２４からの１３０ｍｓの周期の基準同期パルスＰＳがプリセット端子に供給されると共に、ＰＬＬ部４２５からのシステムクロックＳＣＫがカウント入力として供給される。そして、このカウンタ４３１の出力カウント値ＣＮＴが同期信号生成部４３２に供給される。
【００８４】
同期信号生成部４３２は、カウンタ４３１の出力カウント値ＣＮＴから、ＤＥＣＴ規格のフレーム周期（１０ｍｓ）の同期Ａのフレーム同期信号ＦＬＡまたは同期Ｂのフレーム同期信号のいずれかを発生する。同期信号生成部４３２には、制御回路４１の同期切替部４１１から、記憶部ＭＥＭ１に記憶されている同期位相設定情報に基づいて同期Ａと同期Ｂのいずれのフレーム同期信号を生成するかの指示信号となる同期切替信号が供給される。したがって、記憶部ＭＥＭ１に記憶されている同期位相設定情報が同期Ａを設定する第１の設定情報ＳＥａであるときには、同期信号生成部４３２は、同期Ａのフレーム同期信号ＦＬＡを生成し、記憶部ＭＥＭ１に記憶されている同期位相設定情報が同期Ｂを設定する第２の設定情報ＳＥｂであるときには、同期信号生成部４３２は、同期Ｂのフレーム同期信号ＦＬＢを生成する。同期信号発生回路４３は、同期信号生成部４３２で生成したフレーム同期信号ＦＬＡまたはＦＬＢを無線通信回路４４に供給する。
【００８５】
図６に、同期Ａのフレーム同期信号ＦＬＡ及び同期Ｂのフレーム同期信号ＦＬＢの生成を説明するためのタイミングチャートを示す。
【００８６】
図６（Ａ）は主装置１から親機ＢＳ１に送られてくる信号を示し、ＣＴは制御信号を示し、ＡＵは音声信号を示し、ＳＹＮＣは基準同期信号を示している。この図６（Ａ）に示すように、制御信号ＣＴと音声信号ＡＵとは、この例では、２５０マイクロ秒（μｓ）毎に送られてくるが、基準同期信号ＳＹＮＣは、１３０ｍｓごとに、制御信号ＣＴ及び音声信号ＡＵに多重されて送られてくる。
【００８７】
そして、前述したように、同期信号検出部４２４において、基準同期信号ＳＹＮＣが検出されて、この同期信号検出部４２４から、１３０ｍｓ周期の基準同期パルスＰＳ（図２（Ｂ）参照）が発生する。
【００８８】
同期信号発生回路４３のカウンタ４３１は、この基準同期パルスＰＳにより、出力カウント値ＣＮＴが、図２（Ｃ）に示すように、１フレーム周期（１０ｍｓ）中のシステムクロックＳＣＫの数「Ｎａ」にプリセットされる。そして、カウンタ４３１は、システムクロック信号ＣＫを、そのプリセット値「Ｎａ」からダウンカウントし、出力カウント値が「０」になると、キャリーパルスにより、「Ｎａ」にプリセットされる。以下、カウンタ４３１は、以上の動作を繰り返す。そして、基準同期パルスＰＳが発生すると、その基準同期パルスＰＳにより、カウンタ４３１のカウント値は、再度、「Ｎａ」にプリセットされ、上述の動作を繰り返す。
【００８９】
同期信号発生回路４３の同期信号生成部４３２は、カウンタ４３１の出力カウント値ＣＮＴを監視して、制御回路からの同期切替信号により指定される同期Ａのフレーム同期信号ＦＬＡまたは同期Ｂのフレーム同期信号ＦＬＢを生成する。
【００９０】
すなわち、同期信号生成部４３２は、同期切替信号が同期Ａを示すものであるときには、例えば、カウント値「Ｎａ」からカウント値「０」までのダウンカウントを１周期とする信号をフレーム同期信号ＦＬＡ（図６（Ｄ）参照）として生成する。
【００９１】
また、同期信号生成部４３２は、同期切替信号が同期Ｂを示すものであるときには、例えば、カウント値「Ｎａ」から（１／２フレーム周期分＋１スロット分＝５ｍｓ＋０．４１６ｍｓ＝５．４１６ｍｓ）に含まれるシステムクロックの数「ＮＤＬ」分を減算したカウント値「Ｎｂ（＝Ｎａ−ＮＤＬ）」から、カウント値「０」を挟んで次に前記「Ｎｂ」となるまでのダウンカウントを１周期とする信号を、同期Ｂのフレーム同期信号ＦＬＢ（図６（Ｅ）参照）として生成する。
【００９２】
次に、無線通信回路４４について説明する。この実施形態では、無線通信回路４４は、ＤＥＣＴ方式の無線通信を行うための汎用の親機用無線通信ＬＳＩを用いている。この無線通信回路４４は、制御部４４１と、ＴＤＭＡ変復調部４４２と、無線通信部４４３とを備えて構成されている。無線通信部４４３は、子機ＨＳ１との間で、無線通信を行うための回路部である。
【００９３】
制御部４４１は、ＴＤＭＡ変復調部４４２及び無線通信部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００９４】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００９５】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００９６】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からの同期Ａのフレーム同期信号ＦＬＡまたは同期Ｂのフレーム同期信号ＦＬＢのいずれかが供給される。
【００９７】
ＰＬＬ部４４２１は、同期信号発生回路４３からのフレーム同期信号ＦＬＡまたはフレーム同期信号ＦＬＢと発振器４６からの発振信号とを位相比較して、その比較結果に基づいて、発振器４６の発振信号から、フレーム同期信号ＦＬＡまたはフレーム同期信号ＦＬＢに同期するタイミング信号及びクロック信号を生成する。
【００９８】
ＴＤＭＡ変復調部４４２は、フレーム同期信号ＦＬＡまたはフレーム同期信号ＦＬＢに同期するタイミング信号及びクロック信号を用いて、前述した同期Ａまたは同期Ｂで割り当て使用可能となるダウンリンクでのスロットの一つの相当する期間で子機ＨＳ１への送信信号を生成すると共に、アップリンクでのスロットの一つを用いて、子機ＨＳ１からの受信信号の処理を行うようにする。
【００９９】
すなわち、無線通信回路４４は、同期信号発生回路４３から同期Ａのフレーム同期信号ＦＬＡが供給されるときには、同期Ａで割り当て可能となる前述したスロットＳＡ０〜ＳＡ２３の内の２つのスロットを用いて、子機ＨＳ１との送受信を行い、同期信号発生回路４３から同期Ｂのフレーム同期信号ＦＬＢが供給されるときには、同期Ｂで割り当て可能となる前述したスロットＳＢ０〜ＳＢ２３の内の２つのスロットを用いて、子機ＨＳ１との送受信を行う。
【０１００】
なお、親機ＢＳ１は、主装置１に接続されて、同期Ａまたは同期Ｂのいずれかが設定された後には、前述したように、子機ＨＳ１との通信のための同期処理を開始し、常に、子機ＨＳ１に対して送信信号を送る。そして、親機ＢＳ１の無線通信回路４４の制御部４４１は、ＴＤＭＡ変復調部４４２で生成した送信信号を、自親機に設定された同期Ａまたは同期Ｂの一つのスロットを用いて、無線通信部４４３を通じて子機ＨＳ１に送った時に、当該子機ＨＳ１から応答が返って来た時に、送信信号を送信するために用いたスロットをダウンリンク用と、子機ＨＳ１からの応答を受信したスロットをアップリンク用として同期を確立して、送受信を行うように制御するものである。
【０１０１】
［子機の構成例；図７］
図７は、子機ＨＳ１の構成例を示すブロック図である。この図７に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【０１０２】
無線通信回路５１は、ＤＥＣＴ方式の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【０１０３】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【０１０４】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。
【０１０５】
また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【０１０６】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４らかの発振信号から、受信信号の復調信号のクロック成分に同期したクロック信号が生成される。このＰＬＬ部５１２１からのクロック信号は、ＴＤＭＡ変復調部５１における処理用クロック信号とされる。
【０１０７】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【０１０８】
なお、制御回路５２は、この子機ＨＳ１からの発呼時には、発呼時の呼制御信号を無線通信回路５１を通じて親機ＢＳ１に送信し、また、親機ＢＳ１からの着信時の呼制御信号を受けた時には、着信音をスピーカ５６から放音するなどの処理を行う。
【０１０９】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【０１１０】
したがって、コードレス電話装置２１〜２ｎの親機ＢＳ１〜ＢＳｎのそれぞれでは、同期検出部４２４で主装置１からの基準同期信号ＳＹＮＣを検出することで得た基準同期パルスＰＳに基づいてフレーム同期信号ＦＬＡまたはＦＬＢを生成するので、親機ＢＳ１〜ＢＳｎの全ては、主装置１からの基準同期信号ＳＹＮＣに同期したフレーム同期信号ＦＬＡまたはＦＬＢで動作するようになる。
【０１１１】
そして、この実施形態では、コードレス電話装置２１〜２ｎの親機ＢＳ１〜ＢＳｎは、主装置１からの同期位相設定情報により、あるものは同期Ａのフレーム同期信号ＦＬＡで動作するようにされ、他のあるものは、同期Ｂのフレーム同期信号ＦＬＢで動作するものとされるので、一つ置きのスロットを用いて通信を行う現状のＤＥＣＴ方式の無線通信回路を用いても、ＤＥＣＴ方式の２４スロットの全てのスロットを用いることが実質上可能となり、１２個の同時通話を行うことが可能となる。
【０１１２】
また、この実施形態では、コードレス電話装置２１〜２ｎの親機ＢＳ１〜ＢＳｎは、主装置１からの同期位相設定情報により、同期Ａのフレーム同期信号ＦＬＡで動作するものと、同期Ｂのフレーム同期信号ＦＬＢで動作するものとが同数となるように、自動的に設定されるため、コードレス電話装置２１〜２ｎの内の複数個が同時通話の状態となったとしても、トラフィックの混雑を回避でき、通信エラー等を極力防止することができるという効果を奏する。
【０１１３】
そして、上述の実施形態のようなビジネスホンのような電話装置の場合、主装置に対して、親機と子機からなるコードレス電話装置が複数接続され、かつ、同時通話が複数行える必要があるので、この発明は、多数の同時通話が可能となるので、非常に有益である。
【０１１４】
［その他の実施形態または変形例］
上述の実施形態では、同期Ａと同期Ｂのどちらに設定するかの設定情報は、同期位相設定情報として主装置１からコードレス電話装置の親機のそれぞれに、当該親機が主装置に接続された時に供給するようにして、親機に自動的に記憶されて設定されるようにした。しかし、電話システムを設置時に、工事管理者などが、主装置１に接続される複数個のコードレス電話装置のそれぞれに、手動で、同期Ａと同期Ｂのいずれかを設定するようにしてもよい。その場合の設定情報は、上述の実施形態と同様に、記憶部に同期Ａを設定する第１の設定情報ＳＥａと同期Ｂを設定する第２の設定情報ＳＥｂのいずれかを記憶保持させるようにしてもよい。また、記憶部に同期位相設定情報を記憶するのではなく、例えば手動の切替スイッチやディップスイッチにより、同期Ａと同期Ｂのいずれかを設定するようにしてもよい。この場合には、親機の制御回路は、切替スイッチの切替状態やディップスイッチの設定状態を検知して、同期Ａと同期Ｂのいずれのフレーム同期信号を、同期信号発生回路から発生させるかを決定するようにする。
【０１１５】
また、上述の実施形態では、親機は、常に記憶部に記憶した同期位相設定情報により設定される同期Ａまた同期Ｂのいずれかの同期位相に設定される。しかし、上述したように、制御回路は、子機との通信ができたか否かを確認する機能を有しているので、もしも、記憶部に記憶されている同期位相設定情報で設定された同期Ａまたは同期Ｂのいずれかで通信ができない場合には、記憶部に設定されている同期位相設定情報で設定されない方の同期Ａまたは同期Ｂのスロットを用いるように同期切替信号を同期信号発生回路に供給するようにしてもよい。この場合に、通信ができない場合とは、子機からの応答が返ってこない理由が、親機と子機との間で設定されている同期Ａまたは同期Ｂのスロットが全て使用されている場合や、妨害のために、設定されている同期Ａまたは同期Ｂのスロットでは通信エラーが発生する場合等がある。
【０１１６】
また、上述の実施形態では、親機と子機とはそれぞれ１対１の構成としたが、この発明は、１台の親機に複数台の子機を接続するようにする場合にも適用することができることは前述した通りである。この場合には、親機は、同期Ａと同期Ｂのいずれか一方に設定されるので、複数台の子機は、共に同期Ａと同期Ｂのいずれか一方の同期方式のスロットを用いることになる。しかし、親機に、無線通信回路４４を２個設け、一方を同期Ａに設定し、他方を同期Ｂに設定するようにすることにより、１台の親機と複数台の子機との通信に、同期Ａのスロットと、同期Ｂのスロットとを同時に使用することが可能となる。
【０１１７】
また、電話システム１０は、主装置１に対して接続する複数のコードレス電話装置を、図８に示すように、互いに距離Ｄだけ離れた位置に設置されるグループＧＰａとグループＧＰｂというように、グループ単位にまとめて構成するようにしてもよい。この場合には、距離Ｄが、グループＧＰａ、ＧＰｂ間では無線通信の影響がない、あるいは少ない距離であれば、それぞれのグループＧＰａ、ＧＰｂ内において、全てのスロットを使用することができるようになる。
【０１１８】
なお、上述の実施形態は、ＤＥＣＴ方式のコードレス電話通信の場合であったが、この発明は、ＤＥＣＴ方式のみならず、一つ置きのスロットを用いてＴＤＤ／ＴＤＭＡ方式で無線通信を行うシステムであれば、適用可能である。また、この発明の無線通信システムは、電話通信の場合に限られるものでもない。
【符号の説明】
【０１１９】
１…主装置、２１〜２ｎ…コードレス電話装置、ＢＳ１〜ＢＳｎ…親機、ＨＳ１〜ＨＳｎ…子機、４１…制御回路、４３…同期信号発生回路、ＭＥＭ１〜ＭＥＭｎ…記憶部、ＳＡ０〜ＳＡ２３…同期Ａのスロット、ＳＢ０〜ＳＢ２３…同期Ｂのスロット
【図１】
2015177238.tif 000003
【図２】
2015177238.tif 000004
【図３】
2015177238.tif 000005
【図４】
2015177238.tif 000006
【図５】
2015177238.tif 000007
【図６】
2015177238.tif 000008
【図７】
2015177238.tif 000009
【図８】
2015177238.tif 000010
【図９】
2015177238.tif 000011
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
上位装置に対して、親機と１又は複数の子機とからなるコードレス通信装置が複数接続されると共に、前記親機と前記１又は複数の子機との間では、単位通信期間を複数のタイムスロットに分割し、その一つのタイムスロットを用いてＴＤＭＡ／ＴＤＤ方式の無線通信を行うようにする無線通信システムにおいて、
前記親機のそれぞれは、
第１の同期位相と第２の同期位相のいずれかの設定を保持する保持部と、
前記保持部に保持されている前記設定が前記第１の同期位相であるときには、前記上位装置から受ける前記単位通信期間に同期する基準同期信号に同期し、前記単位通信期間を１周期とする第１の同期信号を発生し、前記保持部に保持されている前記設定が前記第２の同期位相であるときには、前記第１の同期信号に対して１タイムスロット分ずれた位相の、前記単位通信期間を１周期とする第２の同期信号を発生する同期信号発生回路と、
前記同期信号発生回路からの前記第１の同期信号又は前記第２の同期信号に基づいて、前記複数のタイムスロットの一つ置きのタイムスロットの中から、前記子機との間での無線通信のためのタイムスロットを確立して、前記子機との間で無線通信を行う無線通信回路と、
を備え、
前記単位通信期間の複数のタイムスロットからなる前半の期間と複数のタイムスロットからなる後半の期間との一方が前記親機から前記子機への送信用の期間とされ、他方が前記子機から前記親機への送信用の期間とされ、
前記第２の同期信号は、前記第１の同期信号に対して前記単位通信期間の１／２の期間分と前記１タイムスロット分の和の分ずれた位相とされてなる
ことを特徴とする無線通信システム。
【請求項２】
前記親機と前記１又は複数の子機とからなる前記コードレス通信装置は、前記親機が前記上位装置に接続されることで、前記上位装置に登録されるものであり、
前記上位装置は、前記親機が接続される毎に、前記第１の同期位相を設定する第１の設定情報と前記第２の同期位相を設定する第２の設定情報とを交互に前記親機に送り、前記親機は、前記上位装置から送られてくる前記第１の設定情報または前記第２の設定情報を記憶部に記憶する
ことを特徴とする請求項１に記載の無線通信システム。
【請求項３】
前記親機と前記１又は複数の子機とからなる前記コードレス通信装置は、前記親機が前記上位装置に接続されることで、前記上位装置に登録されるものであり、
前記上位装置は、前記親機が接続されたときに、当該接続された前記親機に前記第１の同期位相を設定する第１の設定情報または前記第２の同期位相を設定する第２の設定情報を送り、前記親機が備える記憶部に自動的に記憶させるようにすると共に、前記上位装置に接続された前記コードレス通信装置の親機に、前記第１の設定情報を供給したか、前記第２の設定情報を供給したかを記憶保持する設定情報記憶保持部を備え、
前記上位装置は、前記設定情報記憶保持部に記憶されている設定情報に基づいて、前記上位装置に接続されている複数個の前記親機の前記記憶部に記憶される情報が、前記第１の設定情報と、前記第２の設定情報とが同数となるように、新たに接続された前記親機に前記第１の設定情報または前記第２の設定情報のいずれかを供給するかを決定する
ことを特徴とする請求項１に記載の無線通信システム。
【請求項４】
前記親機は、前記子機との間での無線通信のためのタイムスロットの確立ができなかったときには、前記同期信号発生回路から、前記第１の同期信号と前記第２の同期信号のうち、前記保持部に前記設定として保持されていない方の同期位相の同期信号を発生させるように、前記同期信号発生回路を切り替える
ことを特徴とする請求項１〜請求項３のいずれかに記載の無線通信システム。
【請求項５】
無線通信システムは、電話システムであって、前記上位装置は、電話回線に接続される主装置であり、前記コードレス通信装置は、コードレス電話装置である
ことを特徴とする請求項１〜請求項４のいずれかに記載の無線通信システム。
【請求項６】
上位装置に対して、親機と１又は複数の子機とからなるコードレス通信装置が複数接続されると共に、前記親機と前記１又は複数の子機との間では、単位通信期間を複数のタイムスロットに分割し、その一つのタイムスロットを用いてＴＤＭＡ／ＴＤＤ方式の無線通信を行うようにする無線通信システムにおける無線通信方法であって、
前記親機のそれぞれは、第１の同期位相と第２の同期位相のいずれかの設定を保持する保持部を備えていて、
前記親機のそれぞれは、前記保持部に保持されている前記設定が前記第１の同期位相であるときには、前記上位装置から受ける前記単位通信期間に同期する基準同期信号に同期し、前記単位通信期間を１周期とする第１の同期信号を発生し、前記保持部に保持されている前記設定が前記第２の同期位相であるときには、前記第１の同期信号に対して１タイムスロット分ずれた位相の、前記単位通信期間を１周期とする第２の同期信号を発生し、発生した前記第１の同期信号又は前記第２の同期信号に基づいて、前記複数のタイムスロットの一つ置きのタイムスロットの中から、前記子機との間での無線通信のためのタイムスロットを確立するようにし、
前記単位通信期間の複数のタイムスロットからなる前半の期間と複数のタイムスロットからなる後半の期間との一方が前記親機から前記子機への送信用の期間とされ、他方が前記子機から前記親機への送信用の期間とされ、
前記第２の同期信号は、前記第１の同期信号に対して前記単位通信期間の１／２の期間分と前記１タイムスロット分の和の分ずれた位相とするようにする
ことを特徴とする無線通信方法。
【手続補正２】
【補正対象書類名】明細書
【補正対象項目名】００１１
【補正方法】変更
【補正の内容】
【００１１】
上記の課題を解決するために、請求項１の発明は、
上位装置に対して、親機と１又は複数の子機とからなるコードレス通信装置が複数接続されると共に、前記親機と前記１又は複数の子機との間では、単位通信期間を複数のタイムスロットに分割し、その一つのタイムスロットを用いてＴＤＭＡ／ＴＤＤ方式の無線通信を行うようにする無線通信システムにおいて、
前記親機のそれぞれは、
第１の同期位相と第２の同期位相のいずれかの設定を保持する保持部と、
前記保持部に保持されている前記設定が前記第１の同期位相であるときには、前記上位装置から受ける前記単位通信期間に同期する基準同期信号に同期し、前記単位通信期間を１周期とする第１の同期信号を発生し、前記保持部に保持されている前記設定が前記第２の同期位相であるときには、前記第１の同期信号に対して１タイムスロット分ずれた位相の、前記単位通信期間を１周期とする第２の同期信号を発生する同期信号発生回路と、
前記同期信号発生回路からの前記第１の同期信号又は前記第２の同期信号に基づいて、前記複数のタイムスロットの一つ置きのタイムスロットの中から、前記子機との間での無線通信のためのタイムスロットを確立して、前記子機との間で無線通信を行う無線通信回路と、
を備え、
前記単位通信期間の複数のタイムスロットからなる前半の期間と複数のタイムスロットからなる後半の期間との一方が前記親機から前記子機への送信用の期間とされ、他方が前記子機から前記親機への送信用の期間とされ、
前記第２の同期信号は、前記第１の同期信号に対して前記単位通信期間の１／２の期間分と前記１タイムスロット分の和の分ずれた位相とされてなる
ことを特徴とする無線通信システムを提供する。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
また、請求項１の発明においては、例えば、単位通信期間の前半の期間が親機から子機への送信用（ダウンリンク用）の期間とされ、単位通信期間の後半の期間が子機から親機への送信用（アップリンク用）の期間とされる。そして、第２の同期信号は、第１の同期信号に対して１／２単位通信期間と１スロット分の和の分ずれた位相とされる。したがって、第１の同期信号と第２の同期信号とでは、ほぼ、一方がダウンリンク用の期間となるとき、他方がアップリンク用の期間となるような関係となる。
【手続補正５】
【補正対象書類名】明細書
【補正対象項目名】００２０
【補正方法】変更
【補正の内容】
【００２０】
また、請求項２の発明は、請求項１に記載の発明において、
前記親機と前記１又は複数の子機とからなる前記コードレス通信装置は、前記親機が前記上位装置に接続されることで、前記上位装置に登録されるものであり、
前記上位装置は、前記親機が接続される毎に、前記第１の同期位相を設定する第１の設定情報と前記第２の同期位相を設定する第２の設定情報とを交互に前記親機に送り、前記親機は、前記上位装置から送られてくる前記第１の設定情報または前記第２の設定情報を記憶部に記憶する
ことを特徴とする無線通信システムである。
【手続補正６】
【補正対象書類名】明細書
【補正対象項目名】００２１
【補正方法】変更
【補正の内容】
【００２１】
この請求項２の発明においては、親機は、上位装置に接続されたときに、上位装置から送られてくる第１の同期位相を設定する第１の設定情報または第２の同期位相を設定する第２の設定情報を受けて、記憶部に記憶するようにする。したがって、親機の記憶部には、第１の同期位相を設定する第１の設定情報または第２の同期位相を設定する第２の設定情報が自動的に記憶される。
【手続補正７】
【補正対象書類名】明細書
【補正対象項目名】００２４
【補正方法】変更
【補正の内容】
【００２４】
また、この発明によれば、ダウンリンク同士及びアップリンク同士が重なることはないので、複数のコードレス通信装置との間において、トラフィックの混雑を回避でき、送信エラー等を極力防止することができるという効果を奏する。
【手続補正８】
【補正対象書類名】明細書
【補正対象項目名】００２５
【補正方法】変更
【補正の内容】
【００２５】
また、請求項２の発明によれば、親機の保持部には、第１の同期位相を設定する第１の情報または第２の同期位相を設定する第２の設定情報を自動的に記憶することができると共に、記憶部に第１の同期位相を設定する第１の設定情報が記憶されている親機と、記憶部に第２の同期位相を設定する第２の設定情報が記憶されている親機との数をほぼ等しくすることができる。よって、トラフィックの混雑を回避でき、送信エラー等を極力防止することができると共に、単位通信期間における複数のスロットを常に有効に使用することができるようになる。